(57)【要約】      （修正有）【課題】アンテナにおいて円偏光を生成するための小型励起組立品、及びそのような小型励起組立品の製造方法を提供する。【解決手段】小型励起組立品は、単向二路通信のオルソモード変換器及び分岐したカプラーを含み、かつオルソモード変換器２１（ＯＭＴ）が非対称であり、四角形又は円形の横断面及び長手軸ＺＺ’を有する主要導波管を備え、２つの分枝が、それぞれ２つの並列の連結スロットによって主要導波管に連結され、２つの連結スロットが導波管の２つの直交する壁の中に作られ、ＯＭＴの２つの分枝が、不均衡に分岐したカプラー４０の２つの導波管３５、３６にそれぞれつながれ、分岐されたカプラー４０が、ＯＭＴ２１の非対称性により生み出される電界直交ノイズ成分（δｙ、δｘ）を補償する。【選択図】図２
2010148109.tif 000002
【特許請求の範囲】
【請求項１】
単向二路通信のオルソモード変換器及び分岐したカプラーを含むアンテナにおいて、円偏光を生成するための小型励起組立品であって、ＯＭＴと呼ばれる前記オルソモード変換器（２１）が非対称であり、四角形又は円形の横断面及び長手軸ＺＺ’を有する主要導波管（２２）を備え、２つの分枝がそれぞれ２つの並列の連結スロット（２５、２６）によって前記主要導波管（２２）に連結され、前記２つの連結スロット（２５、２６）が前記導波管の２つの直交する壁の中に作られ、前記ＯＭＴの前記２つの分枝が、不均衡に分岐したカプラー（４０）の２つの導波管（３５、３６）にそれぞれつながれ、前記分岐されたカプラー（４０）が、前記ＯＭＴ（２１）の非対称性により生み出される電界直交ノイズ成分（δｙ、δｘ）を補償するような方法で最適化された２つの異なる分割係数（α、β）を有することを特徴とする小型励起組立品。
【請求項２】
前記連結スロット（２５、２６）の下流側にある前記ＯＭＴの前記主要導波管（２２）の断面が、前記連結スロット（２５、２６）の上流側にある前記ＯＭＴの前記主要導波管（２２）の断面よりも小さく、断面図中の切断部分が短絡面を形成することを特徴とする、請求項１に記載の励起組立品。
【請求項３】
長さＬ１及び幅Ｌ２を有する前記ＯＭＴ（２１）の前記連結スロット（２５、２６）が、前記連結スロット（２５、２６）からＤ１の距離に置かれた２つのスタブフィルター（２７、２８）を通じて、前記分岐されたカプラー（４０）につながれ、かつ前記距離Ｄ１、前記長さＬ１、及び前記幅Ｌ２が、前記ＯＭＴの非対称性により生み出される電界直交ノイズ成分（δｙ、δｘ）間に直交性を生み出すような方法で選ばれることを特徴とする、請求項１または２に記載の励起組立品。
【請求項４】
前記分岐されるカプラー（４０）の前記分割係数（α、β）が次の３つの関係式：
【数１】
2010148109.tif 000007
に基づいて決定されることを特徴とする、請求項１〜３のいずれか一項に記載の励起組立品。
【請求項５】
請求項１〜４のいずれか一項に記載の少なくとも１つの小型励起組立品を備えることを特徴とするアンテナ。
【請求項６】
アンテナにおいて円偏光を生成するための小型の励起組立品を作り上げる方法であって、２つに分枝した非対称のＯＭＴオルソモード変換器（２１）と、２つの異なる分割係数（α、β）を含む不均衡な分岐したカプラー（４０）とを、それぞれ２つの並列の連結スロット（２５、２６）によって連結し、前記ＯＭＴの非対称性により生じる２つの電界ノイズ成分（δｙ、δｘ）の間に矩象を確立するような方法で前記ＯＭＴ（２１）の寸法を決定し、かつ前記２つの電界ノイズ成分（δｙ、δｘ）を補償するように、前記分岐したカプラー（４０）の分割係数（α、β）を最適化することにあるのを特徴とする方法。
【請求項７】
前記ＯＭＴの寸法決定が、前記ＯＭＴ（２１）の前記連結スロット（２５、２６）の長さＬ１及び幅Ｌ２を決定することと、前記連結スロットの下流にある前記ＯＭＴの前記主要導波管内に短絡面を置くことと、前記連結スロットと前記分岐したカプラー（４０）との間に置かれた２つのスタブフィルター（２７、２８）から前記連結スロット（２５、２６）を隔てる距離Ｄ１を決定することとにあり、前記距離Ｄ１、前記長さＬ１、及び前記幅Ｌ２が、前記ＯＭＴの非対称性により生じる前記電界ノイズ成分（δｙ、δｘ）間に直交性を生み出すような方法で選ばれることを特徴とする、請求項６に記載の方法。
【請求項８】
前記分岐したカプラー（４０）の前記分割係数（α、β）が、次の３つの関係式：
【数２】
2010148109.tif 000008
に基づいて決定されることを特徴とする、請求項６または７に記載の方法。
【発明の詳細な説明】
【技術分野】
【０００１】
本発明は、アンテナにおいて円偏光を生成するための小型励起組立品、このような小型励起組立品を備えたアンテナ、及びこのような小型励起組立品の製造方法に関する。それは特に送信及び／又は受信アンテナ、更に詳しくは、例えばマルチビームアンテナのような、カプラーと関連するオルソモードの導入装置に連結された、基礎的な放射要素のアレーを含むアンテナの分野に適用される。
【背景技術】
【０００２】
多数の隣接する光線の作成は、パラボラ反射鏡の焦点面に置かれ、間隔が光線間の角度間隔に直接依存する、多数の基礎的な放射要素を備えるアンテナの製作を含む。円形二重偏光の下での送信及び受信機能の確保を受け持つ、無線周波数ＲＦチェーンを設置するために割り当てられる体積は、マルチビームの用途の場合に、放射要素の放射面によって境界を定められる。
【０００３】
無線周波数チェーンにつながれた放射要素から成る各光源が、スポットとも呼ばれる光線を作り上げる最も一般的な構成において、形成された各光線は、基礎的な放射要素を構成する専用の円錐により送られ、そして無線周波数チェーンは各光線に対して、ユーザー及び／又はオペレーターの要求に応じて選ばれた周波数帯域内で、単一偏光又は二重偏光で送信／受信機能を実行する。一般に、無線周波数チェーンは主として励磁器及び、無線周波数ハードウェア構成要素との接続を可能にする、再結合回路とも呼ばれる導波管路を含む。円偏光を作り上げるために、例えば円錐タイプの基礎的な放射要素に接続された、頭字語ＯＭＴ（オルソモード変換器を表わす）、オルソモード変換器を備える励磁器を用いることが知られている。ＯＭＴは、第１の偏光を示す第１の電磁モード、あるいは第１に対して直交する第２の偏光を示す第２の電磁モードのいずれかで選択的に（送信において）円錐に供給するか、又は（受信において）円錐により供給される。２つの電界成分がそれらに関連する第１及び第２の偏光は直線であり、それぞれ水平偏光Ｈ及び垂直偏光Ｖと呼ばれる。円偏光は、電界成分Ｈ及びＶを矩象に置くことを受け持つ、（分岐線カプラーとしても知られる）分岐したカプラーとＯＭＴを組み合わせることにより作られる。小型化の解決策の探求は、例えば下記に記述される図１ａ及び１ｂに表されるような、無線周波数ハードウェア構成要素のグループ化と、積み重ねられる幾つかのレベルに対する無線周波数チェーンの再結合回路へと導く。しかしながら、光線の数が多いほど無線周波数チェーンの複雑さ、質量、及び費用が大きくなる。さらに無線周波数チェーンの質量を低減しかつ費用を削減するためには、従ってその電気的構成を変更することが必要である。
【発明の概要】
【発明が解決しようとする課題】
【０００４】
本発明の目的は、何ら調整を必要とせず、無線周波数チェーンを単純化し、それをより小型にし、従ってその質量を低減しかつ費用を削減することを可能にする、二重偏光の下で動作する新規の励起組立品を提案することにより、この問題を改善することである。
【課題を解決するための手段】
【０００５】
従って、本発明は、単向二路通信のオルソモード変換器及び分岐したカプラーを含むアンテナにおいて、円偏光を生成するための小型励起組立品であって、ＯＭＴと呼ばれるオルソモード変換器が非対称であり、四角形又は円形の横断面及び長手軸ＺＺ’を有する主要導波管を備え、２つの分枝が、それぞれ２つの並列の連結スロットによって主要導波管に連結され、２つの連結スロットが、導波管の２つの直交する壁の中に作られ、ＯＭＴの２つの分枝が不均衡に分岐したカプラーの２つの導波管にそれぞれつながれ、分岐されたカプラーがＯＭＴの非対称性により生み出される電界直交ノイズ成分を補償するような方法で最適化された２つの異なる分割係数を有することを特徴とする小型励起組立品に関する。
【０００６】
有利なことに、連結スロットの下流側にあるＯＭＴの主要導波管の断面は、連結スロットの上流側にあるＯＭＴの主要導波管の断面よりも小さく、断面図中の切断部分は短絡面を形成する。
【０００７】
有利なことに、長さＬ１及び幅Ｌ２を有するＯＭＴの連結スロットは、連結スロットからＤ１の距離に置かれた２つのスタブフィルターを通じて、分岐されたカプラーにつながれ、距離Ｄ１、長さＬ１、及び幅Ｌ２は、ＯＭＴの非対称性により生み出される電界直交ノイズ成分間に直交性を生み出すような方法で選ばれる。
【０００８】
有利なことに、分岐したカプラーの分割係数は次の３つの関係式に基づいて決定される：
【数１】
2010148109.tif 000003
【０００９】
本発明はまた、少なくとも１つの、そのような小型の励起組立品を備えることを特徴とするアンテナにも関する。
【００１０】
最後に、本発明は又、アンテナにおいて円偏光を生成するための、小型の励起組立品を作り上げる方法であって、２つに分枝した非対称のＯＭＴオルソモード変換器と、２つの異なる分割係数を含む不均衡な分岐したカプラーとを連結し、ＯＭＴの非対称性により生じる２つの電界ノイズ成分の間に矩象を確立するような方法でＯＭＴの寸法を決定し、かつ２つの電界ノイズ成分を補償するように、分岐したカプラーの分割係数を最適化することにあるのを特徴とする方法にも関する。
【００１１】
有利なことに、ＯＭＴの寸法決定は、ＯＭＴの連結スロットの長さＬ１及び幅Ｌ２を決定することと、連結スロットと分岐したカプラーとの間に置かれた２つのスタブフィルターから連結スロットを隔てる距離Ｄ１を決定することと、連結スロットの下流にあるＯＭＴの主要導波管内に短絡面を置くことにあり、距離Ｄ１、長さＬ１、及び幅Ｌ２は、ＯＭＴの非対称性により生じる電界ノイズ成分間に直交性を生み出すような方法で選ばれる。
【００１２】
有利なことに、分岐したカプラーの分割係数は、次の３つの関係式に基づいて決定される：
【数２】
2010148109.tif 000004
【００１３】
本発明のその他の特徴及び利点は、添付の概略図に関連して、純粋に例示的で制限されない例のために与えられる、以下に続く説明の中で更にはっきりと明らかになるであろう。
【図面の簡単な説明】
【００１４】
【図１ａ】先行技術による、例示的な単向二路通信ＯＭＴの平面図である。
【図１ｂ】図１ａの単向二路通信ＯＭＴを含む例示的なＲＦチェーンの斜視図である。
【図２】本発明による、小型の励起組立品を備えるＲＦチェーンの例示的な単純化された構造の断面図である。
【図３ａ】本発明による、例示的な非対称の単向二路通信ＯＭＴの斜視図である。
【図３ｂ】本発明による、例示的な非対称の単向二路通信ＯＭＴの平面図である。
【図４】本発明による、ＯＭＴの形状を最適化する前の非対称ＯＭＴで得られる、連結及び分離された２つのポート間の例示的カップリングである。
【図５】本発明による、ＯＭＴの形状を最適化する前のＯＭＴの、連結及び分離されたポート間の例示的な位相分散である。
【図６】本発明による、ＯＭＴの形状パラメータを最適化した後のＯＭＴの、連結及び分離されたポート間の例示的な位相分散である。
【図７】本発明による、ＯＭＴの形状パラメータを最適化した後の電界ノイズ成分を示す、ＯＭＴの概略平面図である。
【図８ａ】本発明による、例示的な不均衡に分岐したカプラーの斜視図である。
【図８ｂ】本発明による、例示的な不均衡に分岐したカプラーの長手方向断面図である。
【図９ａ】本発明による、小型の励起組立品を形成するために、ＯＭＴを２つの分枝及び１つの不均衡に分岐したカプラーと組み合わせることによって得られる、楕円率を示す一例である。
【図９ｂ】本発明による、小型の励起組立品を形成するために、ＯＭＴを２つの分枝及び１つの不均衡に分岐したカプラーと組み合わせることによって得られる、楕円率を示す一例である。
【発明を実施するための形態】
【００１５】
図１ａに表わされる４つに分岐したオルソモード変換器５は、例えば、円錐につながれることを目的とする第１端（図示せず）、及び第２の出力端を有し、２つの端部が主要導波管本体の長手方向軸に位置している、四角形又は円形の断面を伴う、長手方向軸ＺＺ’を持つ主要導波管１０を備える。並列の４つの長手方向又は横方向の連結スロット１１、１２、１３、１４のグループは、主要導波管の４つの側面の各々の壁に作られ、対として正反対に対向して配置される。円錐と連結スロットとの間で、送信及び受信周波数帯域における主要導波管のＨ及びＶ電界成分に関連する基礎電磁気学モードの伝播に対して、主要導波管１０の寸法は適応させられる。連結スロットの先では主要導波管の断面が減少し、従って低周波帯域のための短絡面を生み出す。遮断周波数において、導波管は、高周波帯域だけを通すことを許容する高域フィルターとして機能する。四角形の断面を有する導波管のＴＥ０１及びＴＥ１０基礎電磁気学モード、又は円形の断面を有する導波管のＴＥ１１Ｈ及びＴＥ１１Ｖモードと関連するＨ及びＶ電界成分は、４つの並列の連結スロット１１、１２、１３、１４によって低周波数帯域、例えば送信帯域において連結される。高周波数帯域、例えば受信帯域は、４つの並列の入力スロットにつながれた４つのスタブフィルター１５、１６、１７、１８により排除され、主要導波管内でその出力端まで伝播する。単向二路通信ＯＭＴと呼ばれるＯＭＴ組立品及びフィルターは、従って６つの物理的ポートを示し、その動作は直線偏光又は円偏光における用途に適合する。低周波数帯域は、例えば無線周波数ＲＦ信号の送信用に割り当てられ、高周波数帯域はＲＦ信号の受信用に割り当てられ得る。図１ｂに表わされているように、送信において、円偏光の作成は、４つの連結スロット１１、１２、１３、１４に矩象で対として供給する、３ｄＢに均衡した分岐カプラー１９により確実にされる。反対のスロットは位相再結合回路２０を通じて同相で供給される。単向二路通信ＯＭＴ及び分岐したカプラーから成る励起組立品の様々なハードウェア構成要素は別々に最適化され、全体の転送機能は各ハードウェア構成要素の固有の性能からもたらされる。４つの分岐を伴うＯＭＴ５の形状は、連結スロットの位置においてＯＭＴ内で伝播する電界の対称面を課し、それによって電界の交差成分の振幅を最小化する。従って円偏光の純度はＯＭＴ５に依存せず、分岐したカプラー１９と、連結スロット間に出力分割及び矩象を生じる再結合回路２０にのみ依存する。セプタム偏光子（図示せず）はＯＭＴの主要導波管の出力端に接続され、セプタム偏光子は受信に対して円偏光の作成を行なう。
【００１６】
無線周波数のハードウェア構成要素及び、無線周波数チェーンの再結合回路は幾つかのレベルに積み重ねられ、２つのレベル１、２は図１ｂに表わされているが、しかし一般的には他のレベルの下に配置されて３つのレベルが存在する。ハードウェア構成要素の集積はそのとき最大であり、無線周波数チェーンの質量、体積、及び費用をさらに減らすためには、その構造を変更することが必要である。
【００１７】
図２は、本発明による小型の励起組立品を備えるＲＦチェーンの、単純化された例示的構造を表わす。ＲＦチェーンは基本的に、図３ａ及び３ｂに表わされている２つに分岐した単向二路通信のオルソモード変換器２１、及び不均衡な分岐したカプラー４０を含む。ＯＭＴ２１は、例えば四角形又は円形の断面で、２つの端部２３、２４を備える長手方向軸ＺＺ’を有する主要導波管２２を含み、円形の入口３１に連結された第１端２３は、円錐（図示せず）につながれるよう意図され、主要導波管の壁に作られた２つの並列の入力連結スロット２５、２６を備え、そしてＯＭＴの２つの各分岐に通じる。２つの並列の入力スロット２５、２６は、主要導波管の２つの直交する側壁に作られ、例えばそして望ましくは、主要導波管の二端２３、２４に対して同一の高さに配置される。低周波数帯域は、例えばＲＦ信号の送信用に割り当てられ、高周波数帯域はＲＦ信号の受信用に割り当てられ得る。送信の際、２つの連結スロット２５、２６の各々は、スタブフィルター２７、２８及び再結合回路２９、３０を通じて、分岐したカプラー４０につながれる。円形の入口３１は、送信及び受信の際に伝播する２つの直角に偏光した電磁モードに対応する、それぞれ水平Ｈ及び垂直Ｖの２つの電界成分に共通の、入力及び出力ポートを構成する。スタブフィルターに関連する各々並列の入口スロットは、その成分用の連結したポートと呼ばれる、電界成分の１つのための入力及び出力ポートを構成し、その他のポートは分離したポートと呼ばれる。例として、図３ａにおいて、垂直の電界成分Ｈは連結したポート３２を通り、ポート３３はこの成分Ｈに対して分離したポートである。垂直の電界成分Ｖに対しては、連結したポートはポート３３であり、分離したポートはポート３２である。分岐したカプラー４０はそれぞれ、第１端によりＯＭＴのポート３２、３３のうちの１つにつながれ、第２端によりそれぞれの供給入口３７、３８につながれた、２つの主要分岐を形成する２つの矩形の導波管３５、３６を備え、供給入口３７、３８は同一の電気的長さを有する。各供給入口は、電界でそれに供給するために、分岐したカプラー４０の２つの主要分枝３５、３６の各々につながれる。分岐したカプラーの２つの主要分枝は、横断する分枝を構成する少なくとも１つの横断する導波管３９に通じる、連結スロット（図示せず）を通じて共に連結される。例えば図２において３つに等しい、予め定められた数の横断する導波管３９の長さは、分岐したカプラー４０の出力において２つの電界成分間に９０°の位相ずれを生じるように、λｇ／４に等しく、λｇはカプラー４０の主要分枝３５、３６において伝播する基礎モードの、ガイドされた波長である。
【００１８】
受信の際、セプタム偏光子（図示せず）は、ＯＭＴの主要導波管の第２端２４に接続され得る。
【００１９】
幾何学的観点からは、２つに分岐した単向二路通信ＯＭＴは、連結スロット２５、２６の位置における対称性の欠如の理由で、水平Ｈ及び垂直Ｖの電界成分の自然な減結合を許容しない。共通ポート３１と電界成分の１つに対応する連結したポート３２との間、次に共通ポートと電界の同じ成分の分離したポート３３との間の、エネルギーに対する共分散行列のパラメータ解析は、図４及び５に表わされているように、連結したポートと分離したポートとの間に−２０ｄＢのオーダーのエネルギーの連結があり、そして２つのポート間に周波数の分散的位相差が存在し、物理的に共通ポート３１から、連結したポート及び分離したポート３２、３３の２つのポート迄の長さは同一ではあるが、矩象は特定の周波数に対してのみ得られることを示す。これはＯＭＴの非対称性のために、主要導波管において伝播する基礎モードのエネルギーが、連結したポートに全部は入らず、部分的に分離したポートに入ることを意味する。２つのポート間のエネルギー分配は、ＴＥ１０基礎モードの−２０ｄＢの連結とは別に、連結したポートと分離したポートとの間にＴＥ２０モード（あるいは、電界のＨ又はＶ成分が考慮されるかどうかによってはＴＥ０２モード）の−２０ｄＢの連結が存在するという事実に起因する。ＴＥ２０（又はＴＥ０２）モードは出力の分割に干渉し、分離したポートとの関連で、連結したポートに対して電界の異なる位相の挿入を引き起こす。
【００２０】
本発明によれば、２つに分岐したＯＭＴは、それが連結スロット間の均等な出力分割及び矩象を実現する、３ｄＢに均衡した分岐のカプラーと関連するとき、電界の２成分の完全な減結合を可能にしないため、円偏光を得ることは不可能である。得られる偏光は、１．７ｄＢに等しい放射領域の楕円率を有する楕円である。
【００２１】
しかしながら、連結スロット２５、２６の長さＬ１及び幅Ｌ２、スロットと主要導波管の断面変化に対応する低周波数帯域用の短絡面との間の距離、スロット２５、２６とスタブフィルター２７、２８の始まりとの間の距離Ｄ１のような、ＯＭＴの形状パラメータに対して作用することにより、図６の例に表わされているように、分離したポートにおける電界成分を、連結したポートにおける電界成分に対して矩象に置くことが可能であり、そしてこれらの連結及び分離した２つの電界成分間に、完全な低周波数帯域よりも７％上の帯域幅に対し、非周期的な位相の差別的な挙動を与えることが可能である。距離Ｄ１は、分離したポートにおけるノイズの電界交差成分に関して、連結したポートにおける主要電界成分の位相の周波数分散に対し作用する。長さＬ１及び幅Ｌ２は、連結したポートにおける電界成分と分離したポートにおけるノイズの電界成分との間で、絶対位相を−９０°に調整することを可能にする。スロットと短絡面との間の距離は、例えばゼロであり得る。しかしながら、ＯＭＴの形状パラメータの最適化は、それに対して他のパラメータが二次的に作用し、例えば無線周波数の断続の間にエネルギーのビートを作り出し、連続的な反復及び伝播する電磁モードの解析による以外には最適化出来ない、多変数の最適化である。
【００２２】
図７は、電界が入口ポート３２、３３における供給からそれぞれ水平偏光Ｈ、垂直偏光Ｖに関して生じ、次に−９０°移相した２つの成分に分解することを示す。従って、電界Ｅｙの垂直成分Ｖ用の入口ポート３３に関して、Ｅｙに対し−９０°移相したノイズの水平成分δｙが加えられており、電界Ｅｘの水平成分Ｈ用の入口ポート３２に関して、Ｅｘに対し−９０°移相したノイズの垂直成分δｘが加えられている。ノイズ成分δｙ及びδｘは、Ｅｘ及びＥｙの振幅に対して２０ｄＢだけ減衰している。
【００２３】
不均衡に分岐したカプラーに関連する、本発明による非対称ＯＭＴは、ＯＭＴの非対称性によって引き起こされる欠陥に対する補償と、偏光の優れた純度を有する単一偏光の下、及び二重偏光の下でのアンテナ動作を可能にする。
【００２４】
円偏波の良好な純度を達成するため、電界のＨ及びＶ成分は同じ振幅を持ち、そして矩象でなければならない。図８ａ及び８ｂは、本発明による一つの例示的な、不均衡に分岐したカプラー４０の斜視図及び長手方向断面図を示す。分岐したカプラー４０は、２つの主要分岐の４つの端部にある４つのポート１〜４を含む。ポート１〜４は２つの供給口につながれるよう意図され、２つのポート２及び３はそれぞれ、ＯＭＴの連結したポート及び分離したポートにつながれるよう意図されている。分岐したカプラーは、ポート２と３との間で絶対値において９０°の移相を伴って、ポート２あるいは３の間で、そのポート１又は４の中の１つに加えられる電界のエネルギーを分配する役目を果たす、２つの分割係数α及びβ
【数３】
2010148109.tif 000005
を含む。従って、電界がポート１に加えられる場合、それは連結係数αでポート１からポート２までつながれた、カプラー分岐内を伝播し、そして連結係数βで連結スロット及び様々な横断導波管を通り、ポート３まで対角線上を伝播する。ポート２及び３での分岐したカプラーの出力における、２つの電界成分間の９０°位相遅れは、波長の１／４であるλｇ／４に等しい横方向導波管の長さに対応する。各横方向導波管は同一の長さであるが異なる幅を有する。横方向の分枝の数は、帯域幅の要求に応じて選ばれる。横方向の分枝の幅は、実現されるべき連結係数の値α及びβの関数として定義される。反対に、電界がポート４に加えられるとき、それは連結係数αでポート４へ、そしてポート３までつながれた、カプラーの主要分岐内を伝播し、そして連結係数β及び−９０°の移相で連結スロット及び様々な横断導波管を通り、ポート２まで対角線上を伝播する。
【００２５】
本発明によれば、分割係数α及びβは、ＯＭＴの非対称性に関連するノイズ欠陥を補償するような方法で選ばれる。従って、係数α及びβは、４つに分岐したＯＭＴで通例として使用される均衡したカプラーにおける場合のようには、もはや等しくなく、異なるであろう。
【００２６】
分割係数はＯＭＴの存在下で最適化され、各出力ポート２及び３において入力ポート１で受け取る出力の半分を得るような方法で、水平及び垂直のノイズ成分δｙ及びδｘを補償する。
【００２７】
カプラーの動作は受信及び送信において対称であり、分割係数の最適化は、ＯＭＴの非対称性に関連する水平及び垂直のノイズ成分δｙ及びδｘを補償するような方法で、受信において実施され得る。
【００２８】
従って受信において、カプラーを通過する際に、電界成分はポート２に入り、Ｅｘ及びδｙ・ｅ−ｊ９０°はそれぞれポート１の出力において：α・Ｅｘ及びα・δｘ・ｅ−ｊ９０°となる。
【００２９】
同様に、ポート３に入る電界成分、Ｅｙ及びδｙ・ｅ−ｊ９０°はそれぞれポート１の出力において：β・Ｅｙ・ｅ−ｊ９０°及びβ・δｙ・ｅ−ｊ１８０°となる。
【００３０】
直交軸ＸとＹに沿ったこれらの電界成分の投影は、そのとき次のようになる：
Ｘ軸に沿って：α・Ｅｘ＋β・δｙ・ｅ−ｊ１８０°
Ｙ軸に沿って：β・Ｅｙ・ｅ−ｊ９０°＋α・δｘ・ｅ−ｊ９０°
【００３１】
Ｘ軸に沿っては、電界成分Ｅｘ及びδｙは逆位相で和を求め、その補償は破壊的である。Ｙ軸に沿っては、電界成分Ｅｙ及びδｘは同相で和を求め、その補償は建設的である。補償が各出力ポート２及び３において、入力ポート１で受け取る出力の半分を得ることが出来るようにするため、分割係数α及びβは、次の３つの関係式が満足されるようなものである：
【数４】
2010148109.tif 000006
【００３２】
図９ａ及び９ｂは、本発明による２つに分岐したＯＭＴと不均衡に分岐したカプラーとを組み合わせることによって得られる楕円率が、１９．７ＧＨｚと２０．２ＧＨｚの間にあるＫａ帯域において０．１ｄＢ未満であることを示す。楕円率は１．５ＧＨｚの帯域幅に対して０．４ｄＢ未満であり、それによって周波数帯域にかかわらず、この構造がユーザーの任務及びまた他の用途にも用いられることを可能にする。
【００３３】
この新規の構造は非常に小型であるという利点を示し、ＲＦチェーン及び送信及び受信の円錐から成る、このように作られた光源のプロポーションは直径６０ｍｍで高さが１００ｍｍである。比較のために、先行技術による等価な光源の集合は高さが１５０ｍｍで直径が７２ｍｍのプロポーションを示す。製造コストはハードウェア構成要素の数に対して最適である。実際、機械部品数の減少は準備時間の節約を可能にする。ＲＦチェーンから円錐を差し引いた質量は６０％だけ低減される。構造は単純化され、ＯＭＴ、分岐したカプラー、及び再結合回路が同一のレベル上にあるため、電気層の数は３つの代わりに１つのみにまで減らされる。導波管の通路長さは５０％低減され、従って抵抗損が０．２５ｄＢである４つに分岐したＯＭＴを伴う先行技術に対して、抵抗損において０．１ｄＢの低減を可能にする。
【００３４】
本発明は特定の実施形態に関して記述されているが、決してそれには制限されず、記述されている手段の技術的に等価な全てのもの、ならびにそれが本発明の範囲に入るならば、それらの組合せも含むことは明らかである。
【符号の説明】
【００３５】
１  レベル
２  レベル
５  オルソモード変換器
１０  主要導波管
１１  連結スロット
１２  連結スロット
１３  連結スロット
１４  連結スロット
１５  スタブフィルター
１６  スタブフィルター
１７  スタブフィルター
１８  スタブフィルター
１９  分岐したカプラー
２０  位相再結合回路
２１  オルソモード変換器
２２  主要導波管
２３  第１端
２４  第２端
２５  連結スロット
２６  連結スロット
２７  スタブフィルター
２８  スタブフィルター
２９  再結合回路
３０  再結合回路
３１  共通ポート
３２  ポート
３３  ポート
３５  導波管
３６  導波管
３７  供給入口
３８  供給入口
３９  横断する導波管
４０  分岐したカプラー
【図１ａ】
2010148109.tif 000009
【図１ｂ】
2010148109.tif 000010
【図２】
2010148109.tif 000011
【図３ａ】
2010148109.tif 000012
【図３ｂ】
2010148109.tif 000013
【図４】
2010148109.tif 000014
【図５】
2010148109.tif 000015
【図６】
2010148109.tif 000016
【図７】
2010148109.tif 000017
【図８ａ】
2010148109.tif 000018
【図８ｂ】
2010148109.tif 000019
【図９ａ】
2010148109.tif 000020
【図９ｂ】
2010148109.tif 000021
【外国語明細書】
2010148109000001.pdf